(57)【特許請求の範囲】
【請求項１】
セルラ基地局、ミリ波基地局、およびユーザ機器を含み、
前記セルラ基地局が、送信リンクを用いることによって前記ミリ波基地局に接続され、前記セルラ基地局が、第1のセルラ帯トランシーバを含み、前記ミリ波基地局が、第2のセルラ帯トランシーバおよびミリ波帯送信機を含み、前記ユーザ機器が、第3のセルラ帯トランシーバおよびミリ波帯受信機を含み、
前記第3のセルラ帯トランシーバが、セルラ帯を用いることによって前記第1のセルラ帯トランシーバまたは前記第2のセルラ帯トランシーバによって送信された制御プレーンデータ情報を受信するように構成され、
前記第3のセルラ帯トランシーバが、セルラ帯を用いることによって前記第1のセルラ帯トランシーバまたは前記第2のセルラ帯トランシーバにアップリンクデータを送信するようにさらに構成され、
前記ミリ波帯受信機が、ミリ波帯を用いることによって前記ミリ波帯送信機によって送信されたユーザプレーンデータ情報を受信するように構成され、
前記ユーザ機器に割り当てられたミリ波帯の帯域幅に応じて、前記ユーザ機器によって使用されるセルラ帯のアップリンクキャリアのためのキャリアの特定の帯域幅または特定の量が増やされる、通信システム。
【請求項２】
前記セルラ基地局が、前記ユーザ機器に第1の帯域幅のミリ波帯を割り当てるようにさらに構成され、前記第1のセルラ帯トランシーバが、前記第3のセルラ帯トランシーバに前記第1の帯域幅のミリ波帯の第1の識別情報を送信するようにさらに構成されるか、または前記ミリ波基地局が、前記ユーザ機器に第1の帯域幅のミリ波帯を割り当てるようにさらに構成され、前記第2のセルラ帯トランシーバが、前記第3のセルラ帯トランシーバに前記第1の帯域幅のミリ波帯の第1の識別情報を送信するようにさらに構成され、
前記ミリ波帯受信機が、前記第1の識別情報に従って、前記第1の帯域幅のミリ波帯を用いることによって前記ミリ波帯送信機によって送信されたユーザプレーンデータ情報を受信するようにさらに構成される請求項1に記載のシステム。
【請求項３】
前記ユーザ機器が、周波数分割複信(FDD)方式にセルラ帯上で前記セルラ基地局と通信し、および/または前記FDD方式にセルラ帯上で前記ミリ波基地局と通信し、
前記第3のセルラ帯トランシーバが、第2の帯域幅のセルラ帯を用いることによって前記第1のセルラ帯トランシーバまたは前記第2のセルラ帯トランシーバによって送信された制御プレーンデータ情報を受信するようにさらに構成され、
前記第3のセルラ帯トランシーバが、第3の帯域幅のセルラ帯を用いることによって前記第1のセルラ帯トランシーバまたは前記第2のセルラ帯トランシーバにアップリンクデータを送信するようにさらに構成され、
前記セルラ基地局が、前記第1の帯域幅のミリ波帯の帯域幅に応じて、前記ユーザ機器のために、前記第3の帯域幅のセルラ帯のアップリンクキャリアのためのキャリアの特定の帯域幅もしくは特定の量を増やすようにさらに構成され、前記第1のセルラ帯トランシーバが、そのアップリンクキャリアが増やされる前記第3の帯域幅のセルラ帯の第2の識別情報を前記第3のセルラ帯トランシーバに送信するようにさらに構成されるか、または前記ミリ波基地局が、前記第1の帯域幅のミリ波帯の帯域幅に応じて、前記ユーザ機器のために、前記第3の帯域幅のセルラ帯のアップリンクキャリアのためのキャリアの特定の帯域幅もしくは特定の量を増やすようにさらに構成され、前記第2のセルラ帯トランシーバが、そのアップリンクキャリアが増やされる前記第3の帯域幅のセルラ帯の第2の識別情報を前記第3のセルラ帯トランシーバに送信するようにさらに構成され、
前記第3のセルラ帯トランシーバが、そのアップリンクキャリアが増やされる前記第3の帯域幅のセルラ帯を用いることによって、前記第2の識別情報に従って、前記第1のセルラ帯トランシーバまたは前記第2のセルラ帯トランシーバにアップリンクデータを送信するようにさらに構成される請求項2に記載のシステム。
【請求項４】
前記セルラ基地局が、前記第1の帯域幅のミリ波帯の帯域幅に応じて前記ユーザ機器へのアップリンクの負荷を予め推定し、前記アップリンクの負荷に応じて、前記ユーザ機器のために、前記第3の帯域幅のセルラ帯のアップリンクキャリアのためのキャリアの特定の帯域幅もしくは特定の量を増やすようにさらに構成されるか、または前記ミリ波基地局が、前記第1の帯域幅のミリ波帯の帯域幅に応じて前記ユーザ機器からのアップリンクの負荷を予め推定し、前記アップリンクの負荷に応じて、前記ユーザ機器のために、前記第3の帯域幅のセルラ帯のアップリンクキャリアのためのキャリアの特定の帯域幅もしくは特定の量を増やすようにさらに構成される請求項3に記載のシステム。
【請求項５】
前記ユーザ機器が、時分割複信(TDD)方式にセルラ帯上で前記セルラ基地局と通信し、および/または前記TDD方式にセルラ帯上で前記ミリ波基地局と通信し、
前記第3のセルラ帯トランシーバが、第4の帯域幅のセルラ帯を用いることによって前記第1のセルラ帯トランシーバまたは前記第2のセルラ帯トランシーバによって送信された制御プレーンデータ情報を受信するようにさらに構成され、
前記第3のセルラ帯トランシーバが、前記第4の帯域幅のセルラ帯を用いることによって前記第1のセルラ帯トランシーバまたは前記第2のセルラ帯トランシーバにアップリンクデータを送信するようにさらに構成され、
前記セルラ基地局が、前記第1の帯域幅のミリ波帯の帯域幅に応じて前記第4の帯域幅のセルラ帯の現在のアップリンク-ダウンリンクサブフレーム構成を目標のアップリンク-ダウンリンクサブフレーム構成に調節して、前記第4の帯域幅のセルラ帯へのアップリンクキャリアの量を増やすようにさらに構成され、
前記第1のセルラ帯トランシーバが、前記目標のアップリンク-ダウンリンクサブフレーム構成についての情報を前記第3のセルラ帯トランシーバに送信するようにさらに構成され、
前記第3のセルラ帯トランシーバが、前記目標のアップリンク-ダウンリンクサブフレーム構成についての前記情報に従って、前記目標のアップリンク-ダウンリンクサブフレーム構成によって前記第4の帯域幅のセルラ帯を用いることによって前記第1のセルラ帯トランシーバまたは前記第2のセルラ帯トランシーバによって送信された制御プレーンデータ情報を受信するようにさらに構成され、
前記第3のセルラ帯トランシーバが、前記目標のアップリンク-ダウンリンクサブフレーム構成についての前記情報に従って、前記目標のアップリンク-ダウンリンクサブフレーム構成によって前記第4の帯域幅のセルラ帯を用いることによって前記第1のセルラ帯トランシーバまたは前記第2のセルラ帯トランシーバにアップリンクデータを送信するようにさらに構成される請求項2に記載のシステム。
【請求項６】
前記セルラ基地局が、前記第1の帯域幅のミリ波帯の前記帯域幅に応じて前記ユーザ機器からのアップリンクの負荷を予め推定し、前記アップリンクの負荷に応じて前記第4の帯域幅のセルラ帯の前記現在のアップリンク-ダウンリンクサブフレーム構成を前記目標のアップリンク-ダウンリンクサブフレーム構成に調節するようにさらに構成される請求項5に記載のシステム。
【請求項７】
メモリ、コントローラ、セルラ帯トランシーバ、およびミリ波帯受信機を含み、
前記メモリが、前記コントローラに接続され、前記コントローラが、前記セルラ帯トランシーバおよび前記ミリ波帯受信機に別々にさらに接続され、
前記メモリが、プログラムコードのグループおよびユーザデータを記憶するように構成され、前記コントローラが、以下の動作、すなわち、
前記セルラ帯トランシーバによって、セルラ帯を用いることによってセルラ基地局またはミリ波基地局によって送信された制御プレーンデータ情報を受信する動作と、
前記セルラ帯トランシーバによって、セルラ帯を用いることによって前記セルラ基地局または前記ミリ波基地局にアップリンクデータを送信する動作と、
前記ミリ波帯受信機によって、ミリ波帯を用いることによって前記ミリ波基地局によって送信されたユーザプレーンデータ情報を受信する動作とを実行するように前記セルラ帯トランシーバおよび前記ミリ波帯受信機を制御するために前記メモリに記憶されたプログラムを呼び出すように構成され、
ユーザ機器に割り当てられたミリ波帯の帯域幅に応じて、前記ユーザ機器によって使用されるセルラ帯のアップリンクキャリアのためのキャリアの特定の帯域幅または特定の量が増やされる、ユーザ機器。
【請求項８】
前記セルラ帯トランシーバが、第1の帯域幅のミリ波帯のものであり、前記セルラ基地局または前記ミリ波基地局によって送信される第1の識別情報を受信するようにさらに構成され、前記第1の帯域幅のミリ波帯が、前記セルラ基地局または前記ミリ波基地局によって前記ユーザ機器に割り当てられたミリ波帯であり、
前記ミリ波帯受信機が、前記第1の識別情報に従って、ミリ波帯を用いることによって前記ミリ波基地局によって送信されたユーザプレーンデータ情報を受信するようにさらに構成される請求項7に記載のユーザ機器。
【請求項９】
前記ユーザ機器が、FDD方式にセルラ帯上で前記セルラ基地局と通信し、および/または前記FDD方式にセルラ帯上で前記ミリ波基地局と通信し、
前記セルラ帯トランシーバが、第2の帯域幅のセルラ帯を用いることによって前記セルラ基地局または前記ミリ波基地局によって送信された制御プレーンデータ情報を受信するようにさらに構成され、
前記セルラ帯トランシーバが、第3の帯域幅のセルラ帯を用いることによって前記セルラ基地局または前記ミリ波基地局にアップリンクデータを送信するようにさらに構成され、
前記セルラ帯トランシーバが、前記セルラ基地局または前記ミリ波基地局によって送信され、そのアップリンクキャリアが増やされる前記第3の帯域幅のセルラ帯のものである第2の識別情報を受信するようにさらに構成され、そのアップリンクキャリアが増やされる前記第3の帯域幅のセルラ帯が、キャリアの特定の帯域幅または特定の量が増やされる第3の帯域幅のセルラ帯であり、前記第3の帯域幅のセルラ帯に関して増やされるキャリアの前記特定の帯域幅または前記特定の量が、前記第1の帯域幅のミリ波帯の帯域幅に応じて前記セルラ基地局または前記ミリ波基地局によって前記ユーザ機器のために増やされるアップリンクキャリアであり、
前記セルラ帯トランシーバが、そのアップリンクキャリアが増やされる前記第3の帯域幅のセルラ帯を用いることによって、前記第2の識別情報に従って、前記セルラ基地局または前記ミリ波基地局にアップリンクデータを送信するようにさらに構成される請求項8に記載のユーザ機器。
【請求項１０】
前記ユーザ機器が、TDD方式にセルラ帯上で前記セルラ基地局と通信し、および/または前記TDD方式にセルラ帯上で前記ミリ波基地局と通信し、
前記セルラ帯トランシーバが、第4の帯域幅のセルラ帯を用いることによって前記セルラ基地局または前記ミリ波基地局によって送信された制御プレーンデータ情報を受信するようにさらに構成され、
前記セルラ帯トランシーバが、前記第4の帯域幅のセルラ帯を用いることによって前記セルラ基地局または前記ミリ波基地局にアップリンクデータを送信するようにさらに構成され、
前記セルラ帯トランシーバが、前記第4の帯域幅のセルラ帯の目標のアップリンク-ダウンリンクサブフレーム構成についての、前記セルラ基地局によって送信される情報を受信するようにさらに構成され、前記第4の帯域幅のセルラ帯の前記目標のアップリンク-ダウンリンクサブフレーム構成が、前記第1の帯域幅のミリ波帯の帯域幅に応じて前記セルラ基地局によって調節されて、前記第4の帯域幅のセルラ帯へのアップリンクキャリアの量を増やすためのアップリンク-ダウンリンクサブフレーム構成であり、
前記セルラ帯トランシーバが、前記目標のアップリンク-ダウンリンクサブフレーム構成についての前記情報に従って、前記目標のアップリンク-ダウンリンクサブフレーム構成によって前記第4の帯域幅のセルラ帯を用いることによって前記セルラ基地局または前記ミリ波基地局によって送信された制御プレーンデータ情報を受信するようにさらに構成され、
前記セルラ帯トランシーバが、前記目標のアップリンク-ダウンリンクサブフレーム構成についての前記情報に従って、前記目標のアップリンク-ダウンリンクサブフレーム構成によって前記第4の帯域幅のセルラ帯を用いることによって前記セルラ基地局または前記ミリ波基地局にアップリンクデータを送信するようにさらに構成される請求項8に記載のユーザ機器。
【請求項１１】
メモリ、コントローラ、ミリ波帯送信機、およびセルラ帯トランシーバを含み、
前記メモリが、前記コントローラに接続され、前記コントローラが、前記ミリ波帯送信機にさらに接続され、
前記メモリが、プログラムコードのグループおよびユーザデータを記憶するように構成され、前記コントローラが、以下の動作、すなわち、
前記ミリ波帯送信機によって、ミリ波帯を用いることによってユーザ機器にユーザプレーンデータ情報を送信する動作を実行するように前記ミリ波帯送信機を制御するために前記メモリに記憶されたプログラムを呼び出すように構成され、
前記コントローラが、以下の動作、すなわち、
前記セルラ帯トランシーバによって、セルラ帯を用いることによって前記ユーザ機器に制御プレーンデータ情報を送信する動作、および/または
前記セルラ帯トランシーバによって、セルラ帯を用いることによって前記ユーザ機器によって送信されたアップリンクデータを受信する動作を実行するように前記セルラ帯トランシーバを制御するために前記メモリに記憶されたプログラムを呼び出すようにさらに構成され、
前記ユーザ機器に割り当てられたミリ波帯の帯域幅に応じて、前記ユーザ機器によって使用されるセルラ帯のアップリンクキャリアのためのキャリアの特定の帯域幅または特定の量が増やされる、ミリ波基地局。
【請求項１２】
前記コントローラが、前記ユーザ機器に第1の帯域幅のミリ波帯を割り当てるようにさらに構成され、
前記セルラ帯トランシーバが、前記ユーザ機器に前記第1の帯域幅のミリ波帯の第1の識別情報を送信するようにさらに構成され、
前記ミリ波帯送信機が、前記第1の識別情報に従って、前記第1の帯域幅のミリ波帯を用いることによって前記ユーザ機器にユーザプレーンデータ情報を送信するようにさらに構成される請求項11に記載の基地局。
【請求項１３】
前記ユーザ機器が、FDD方式にセルラ帯上で前記基地局と通信し、
前記セルラ帯トランシーバが、第2の帯域幅のセルラ帯を用いることによって前記ユーザ機器に制御プレーンデータ情報を送信するようにさらに構成され、および/または
前記セルラ帯トランシーバが、第3の帯域幅のセルラ帯を用いることによって前記ユーザ機器によって送信されたアップリンクデータを受信するようにさらに構成され、
前記コントローラが、前記第1の帯域幅のミリ波帯の帯域幅に応じて、前記ユーザ機器のために、前記第3の帯域幅のセルラ帯のアップリンクキャリアのためのキャリアの特定の帯域幅または特定の量を増やすようにさらに構成され、
前記セルラ帯トランシーバが、そのアップリンクキャリアが増やされる前記第3の帯域幅のセルラ帯の第2の識別情報を前記ユーザ機器に送信するようにさらに構成され、
前記セルラ帯トランシーバが、前記第2の識別情報に従って、そのアップリンクキャリアが増やされる前記第3の帯域幅のセルラ帯を用いることによって前記ユーザ機器によって送信されたアップリンクデータを受信するようにさらに構成される請求項12に記載の基地局。
【請求項１４】
セルラ帯を用いることによってセルラ基地局またはミリ波基地局によって送信された制御プレーンデータ情報を受信するステップであって、前記制御プレーンデータ情報が、ミリ波帯の第1の識別情報を含む、ステップと、
セルラ帯を用いることによって前記セルラ基地局または前記ミリ波基地局にアップリンクデータを送信するステップであって、前記アップリンクデータが、前記第1の識別情報によって特定された前記ミリ波帯のチャネル状態情報を含む、ステップと、
前記ミリ波帯を用いることによって前記ミリ波基地局によって送信されたユーザプレーンデータ情報を受信するステップとを含み、
ユーザ機器に割り当てられたミリ波帯の帯域幅に応じて、前記ユーザ機器によって使用されるセルラ帯のアップリンクキャリアのためのキャリアの特定の帯域幅または特定の量が増やされる、通信方法。
【請求項１５】
前記ミリ波帯が、第1の帯域幅のミリ波帯を含み、前記第1の帯域幅のミリ波帯が、前記セルラ基地局または前記ミリ波基地局によって割り当てられるミリ波帯であり、
セルラ帯を用いることによって前記セルラ基地局または前記ミリ波基地局にアップリンクデータを送信する前記ステップの前に、前記方法が、
前記セルラ基地局または前記ミリ波基地局によって送信され、そのアップリンクキャリアが増やされる第3の帯域幅のセルラ帯のものである第2の識別情報を受信するステップであって、そのアップリンクキャリアが増やされる前記第3の帯域幅のセルラ帯が、キャリアの特定の帯域幅または特定の量が増やされる第3の帯域幅のセルラ帯であり、前記第3の帯域幅のセルラ帯に関して増やされるキャリアの前記特定の帯域幅または前記特定の量が、前記第1の帯域幅のミリ波帯に応じて前記セルラ基地局または前記ミリ波基地局によって増やされる、ステップをさらに含み、
セルラ帯を用いることによってセルラ基地局またはミリ波基地局によって送信された制御プレーンデータ情報を受信する前記ステップが、
第2の帯域幅のセルラ帯を用いることによって前記セルラ基地局または前記ミリ波基地局によって送信された前記制御プレーンデータ情報を受信するステップを含み、
セルラ帯を用いることによって前記セルラ基地局または前記ミリ波基地局にアップリンクデータを送信する前記ステップが、
前記第2の識別情報に従って、そのアップリンクキャリアが増やされる前記第3の帯域幅のセルラ帯を用いることによって前記セルラ基地局または前記ミリ波基地局に前記アップリンクデータを送信するステップを含む請求項14に記載の方法。
【請求項１６】
前記ミリ波帯が、第1の帯域幅のミリ波帯を含み、前記第1の帯域幅のミリ波帯が、前記セルラ基地局または前記ミリ波基地局によって割り当てられるミリ波帯であり、
セルラ帯を用いることによってセルラ基地局またはミリ波基地局によって送信された制御プレーンデータ情報を受信する前記ステップの前に、前記方法が、
第4の帯域幅のセルラ帯の目標のアップリンク-ダウンリンクサブフレーム構成についての、前記セルラ基地局によって送信される情報を受信するステップであって、前記第4の帯域幅のセルラ帯の前記目標のアップリンク-ダウンリンクサブフレーム構成が、前記第1の帯域幅のミリ波帯の帯域幅に応じて前記セルラ基地局によって調節されて、前記第4の帯域幅のセルラ帯へのアップリンクキャリアの量を増やすためのアップリンク-ダウンリンクサブフレーム構成である、ステップをさらに含み、
セルラ帯を用いることによってセルラ基地局またはミリ波基地局によって送信された制御プレーンデータ情報を受信する前記ステップが、
前記目標のアップリンク-ダウンリンクサブフレーム構成についての前記情報に従って、前記目標のアップリンク-ダウンリンクサブフレーム構成によって前記第4の帯域幅のセルラ帯を用いることによって前記セルラ基地局または前記ミリ波基地局によって送信された制御プレーンデータ情報を受信するステップを含み、
セルラ帯を用いることによって前記セルラ基地局または前記ミリ波基地局にアップリンクデータを送信する前記ステップが、
前記目標のアップリンク-ダウンリンクサブフレーム構成についての前記情報および前記識別情報に従って、前記目標のアップリンク-ダウンリンクサブフレーム構成によって前記第4の帯域幅のセルラ帯を用いることによって前記セルラ基地局または前記ミリ波基地局に前記アップリンクデータを送信するステップを含む請求項14に記載の方法。
【発明の詳細な説明】
【技術分野】
【０００１】
本発明は、通信の分野に関し、特に、通信システムおよび方法、ならびにデバイスに関する。
【背景技術】
【０００２】
現在、通信システムにおいて、モバイル通信デバイスに適用可能である低周波数帯(たとえば、3GHz以下の周波数帯)の中のほとんどのスペクトルリソースは、既にすべて割り当て済みであるが、しかし、高周波数帯(たとえば、周波数帯: 3〜300GHz)の中の大量のスペクトルリソースは、使用するために割り当てられていない。国際電気通信連合(International Telecommunication Union、ITU)による定義によれば、高周波数帯は、ミリ波帯とも呼ばれる。現在、ミリ波帯を用いてセルラ通信を実行するいくつかのソリューションが存在し、詳細は以下の通りである。
【０００３】
概して、セルラ基地局およびミリ波基地局が、ネットワーク側に展開され、セルラ基地局は、セルラ帯を用いることによってユーザ機器と通信し、ミリ波基地局は、ミリ波帯を用いることによってユーザ機器と通信する。したがって、2つのトランシーバが、ユーザ機器内に展開される必要があり、一方のトランシーバが、セルラ基地局と通信するように構成され、他方のトランシーバが、ミリ波基地局と通信するように構成される。加えて、ミリ波帯の周波数が極めて高いので、ミリ波帯を用いることによって通信するように構成されたトランシーバの電力要件および複雑性は比較的高く、そのことがユーザ機器のコストを高くする。
【発明の概要】
【課題を解決するための手段】
【０００４】
本発明の実施形態は、通信システムおよび方法、ならびにデバイスを提供する。本発明の実施形態において、ユーザ機器は、ミリ波帯を用いることによって通信するように構成されたトランシーバの電力要件および複雑性が比較的高く、したがって、ユーザ機器のコストを高くする問題を解決するために、セルラ帯およびミリ波帯での通信を完了するために1つのセルラ帯トランシーバおよび1つのミリ波帯受信機のみを含む必要がある。
【０００５】
第1の態様によれば、本発明の実施形態が、セルラ基地局、ミリ波基地局、およびユーザ機器を含み、
セルラ基地局が、送信リンクを用いることによってミリ波基地局に接続され、セルラ基地局が、第1のセルラ帯トランシーバを含み、ミリ波基地局が、第2のセルラ帯トランシーバおよびミリ波帯送信機を含み、ユーザ機器が、第3のセルラ帯トランシーバおよびミリ波帯受信機を含み、
第3のセルラ帯トランシーバが、セルラ帯を用いることによって第1のセルラ帯トランシーバまたは第2のセルラ帯トランシーバによって送信された制御プレーンデータ情報を受信するように構成され、
第3のセルラ帯トランシーバが、セルラ帯を用いることによって第1のセルラ帯トランシーバまたは第2のセルラ帯トランシーバにアップリンクデータを送信するように構成され、
ミリ波帯受信機が、ミリ波帯を用いることによってミリ波帯送信機によって送信されたユーザプレーンデータ情報を受信するように構成される通信システムを提供する。
【０００６】
第1の態様の第1の可能な実装方法においては、セルラ基地局が、ユーザ機器に第1の帯域幅のミリ波帯を割り当てるようにさらに構成され、第1のセルラ帯トランシーバが、第3のセルラ帯トランシーバに第1の帯域幅のミリ波帯の第1の識別情報を送信するようにさらに構成されるか、またはミリ波基地局が、ユーザ機器に第1の帯域幅のミリ波帯を割り当てるようにさらに構成され、第2のセルラ帯トランシーバが、第3のセルラ帯トランシーバに第1の帯域幅のミリ波帯の第1の識別情報を送信するようにさらに構成され、
ミリ波帯受信機が、第1の識別情報に従って、第1の帯域幅のミリ波帯を用いることによってミリ波帯送信機によって送信されたユーザプレーンデータ情報を受信するようにさらに構成される。
【０００７】
第1の態様の第1の可能な実装方法に関連して、第1の態様の第2の可能な実装方法においては、ユーザ機器が、周波数分割複信FDD方式にセルラ帯上でセルラ基地局と通信し、および/またはFDD方式にセルラ帯上でミリ波基地局と通信し、
第3のセルラ帯トランシーバが、第2の帯域幅のセルラ帯を用いることによって第1のセルラ帯トランシーバまたは第2のセルラ帯トランシーバによって送信された制御プレーンデータ情報を受信するようにさらに構成され、
第3のセルラ帯トランシーバが、第3の帯域幅のセルラ帯を用いることによって第1のセルラ帯トランシーバまたは第2のセルラ帯トランシーバにアップリンクデータを送信するようにさらに構成され、
セルラ基地局が、第1の帯域幅のミリ波帯の帯域幅に応じて、ユーザ機器のために、第3の帯域幅のセルラ帯のアップリンクキャリアのためのキャリアの特定の帯域幅もしくは特定の量を増やすようにさらに構成され、第1のセルラ帯トランシーバが、そのアップリンクキャリアが増やされる第3の帯域幅のセルラ帯の第2の識別情報を第3のセルラ帯トランシーバに送信するようにさらに構成されるか、またはミリ波基地局が、第1の帯域幅のミリ波帯の帯域幅に応じて、ユーザ機器のために、第3の帯域幅のセルラ帯のアップリンクキャリアのためのキャリアの特定の帯域幅もしくは特定の量を増やすようにさらに構成され、第2のセルラ帯トランシーバが、そのアップリンクキャリアが増やされる第3の帯域幅のセルラ帯の第2の識別情報を第3のセルラ帯トランシーバに送信するようにさらに構成され、
第3のセルラ帯トランシーバが、そのアップリンクキャリアが増やされる第3の帯域幅のセルラ帯を用いることによって、第2の識別情報に従って、第1のセルラ帯トランシーバまたは第2のセルラ帯トランシーバにアップリンクデータを送信するようにさらに構成される。
【０００８】
第1の態様の第2の可能な実装方法に関連して、第1の態様の第3の可能な実装方法においては、セルラ基地局が、第1の帯域幅のミリ波帯の帯域幅に応じてユーザ機器へのアップリンクの負荷を予め推定し、アップリンクの負荷に応じて、ユーザ機器のために、第3の帯域幅のセルラ帯のアップリンクキャリアのためのキャリアの特定の帯域幅もしくは特定の量を増やすようにさらに構成されるか、またはミリ波基地局が、第1の帯域幅のミリ波帯の帯域幅に応じてユーザ機器へのアップリンクの負荷を予め推定し、アップリンクの負荷に応じて、ユーザ機器のために、第3の帯域幅のセルラ帯のアップリンクキャリアのためのキャリアの特定の帯域幅もしくは特定の量を増やすようにさらに構成される。
【０００９】
第1の態様の第1の可能な実装方法に関連して、第1の態様の第4の可能な実装方法においては、ユーザ機器が、時分割複信TDD方式にセルラ帯上でセルラ基地局と通信し、および/またはTDD方式にセルラ帯上でミリ波基地局と通信し、
第3のセルラ帯トランシーバが、第4の帯域幅のセルラ帯を用いることによって第1のセルラ帯トランシーバまたは第2のセルラ帯トランシーバによって送信された制御プレーンデータ情報を受信するようにさらに構成され、
第3のセルラ帯トランシーバが、第4の帯域幅のセルラ帯を用いることによって第1のセルラ帯トランシーバまたは第2のセルラ帯トランシーバにアップリンクデータを送信するようにさらに構成され、
セルラ基地局が、第1の帯域幅のミリ波帯の帯域幅に応じて第4の帯域幅のセルラ帯の現在のアップリンク-ダウンリンクサブフレーム構成を目標のアップリンク-ダウンリンクサブフレーム構成に調節するようにさらに構成され、
第1のセルラ帯トランシーバが、目標のアップリンク-ダウンリンクサブフレーム構成についての情報を第3のセルラ帯トランシーバに送信するようにさらに構成され、
第3のセルラ帯トランシーバが、目標のアップリンク-ダウンリンクサブフレーム構成についての情報に従って、目標のアップリンク-ダウンリンクサブフレーム構成によって第4の帯域幅のセルラ帯を用いることによって第1のセルラ帯トランシーバまたは第2のセルラ帯トランシーバによって送信された制御プレーンデータ情報を受信するようにさらに構成され、
第3のセルラ帯トランシーバが、目標のアップリンク-ダウンリンクサブフレーム構成についての情報に従って、目標のアップリンク-ダウンリンクサブフレーム構成によって第4の帯域幅のセルラ帯を用いることによって第1のセルラ帯トランシーバまたは第2のセルラ帯トランシーバにアップリンクデータを送信するようにさらに構成される。
【００１０】
第1の態様の第4の可能な実装方法に関連して、第1の態様の第5の可能な実装方法においては、セルラ基地局が、第1の帯域幅のミリ波帯の帯域幅に応じてユーザ機器へのアップリンクの負荷を予め推定し、アップリンクの負荷に応じて第4の帯域幅のセルラ帯の現在のアップリンク-ダウンリンクサブフレーム構成を目標のアップリンク-ダウンリンクサブフレーム構成に調節するようにさらに構成される。
【００１１】
第2の態様によれば、本発明の実施形態が、メモリ、コントローラ、セルラ帯トランシーバ、およびミリ波帯受信機を含み、
メモリが、コントローラに接続され、コントローラが、セルラ帯トランシーバおよびミリ波帯受信機に別々にさらに接続され、
メモリが、プログラムコードのグループおよびユーザデータを記憶するように構成され、コントローラが、以下の動作、すなわち、
セルラ帯トランシーバによって、セルラ帯を用いることによってセルラ基地局またはミリ波基地局によって送信された制御プレーンデータ情報を受信する動作と、
セルラ帯トランシーバによって、セルラ帯を用いることによってセルラ基地局またはミリ波基地局にアップリンクデータを送信する動作と、
ミリ波帯受信機によって、ミリ波帯を用いることによってミリ波基地局によって送信されたユーザプレーンデータ情報を受信する動作とを実行するようにセルラ帯トランシーバおよびミリ波帯受信機を制御するためにメモリに記憶されたプログラムを呼び出すように構成されるユーザ機器を提供する。
【００１２】
第2の態様の第1の可能な実装方法においては、セルラ帯トランシーバが、第1の帯域幅のミリ波帯のものであり、セルラ基地局またはミリ波基地局によって送信される第1の識別情報を受信するようにさらに構成され、第1の帯域幅のミリ波帯が、セルラ基地局またはミリ波基地局によってユーザ機器に割り当てられたミリ波帯であり、
ミリ波帯受信機が、第1の識別情報に従って、ミリ波帯を用いることによってミリ波基地局によって送信されたユーザプレーンデータ情報を受信するようにさらに構成される。
【００１３】
第2の態様の第1の可能な実装方法に関連して、第2の態様の第2の可能な実装方法においては、ユーザ機器が、FDD方式にセルラ帯上でセルラ基地局と通信し、および/またはFDD方式にセルラ帯上でミリ波基地局と通信し、
セルラ帯トランシーバが、第2の帯域幅のセルラ帯を用いることによってセルラ基地局またはミリ波基地局によって送信された制御プレーンデータ情報を受信するようにさらに構成され、
セルラ帯トランシーバが、第3の帯域幅のセルラ帯を用いることによってセルラ基地局またはミリ波基地局にアップリンクデータを送信するようにさらに構成され、
セルラ帯トランシーバが、セルラ基地局またはミリ波基地局によって送信され、そのアップリンクキャリアが増やされる第3の帯域幅のセルラ帯のものである第2の識別情報を受信するようにさらに構成され、そのアップリンクキャリアが増やされる第3の帯域幅のセルラ帯が、キャリアの特定の帯域幅または特定の量が増やされる第3の帯域幅のセルラ帯であり、第3の帯域幅のセルラ帯に関して増やされるキャリアの特定の帯域幅または特定の量が、第1の帯域幅のミリ波帯の帯域幅に応じてセルラ基地局またはミリ波基地局によってユーザ機器のために増やされるアップリンクキャリアであり、
セルラ帯トランシーバが、そのアップリンクキャリアが増やされる第3の帯域幅のセルラ帯を用いることによって、第2の識別情報に従って、セルラ基地局またはミリ波基地局にアップリンクデータを送信するようにさらに構成される。
【００１４】
第2の態様の第1の可能な実装方法に関連して、第2の態様の第3の可能な実装方法においては、ユーザ機器が、TDD方式にセルラ帯上でセルラ基地局と通信し、および/またはTDD方式にセルラ帯上でミリ波基地局と通信し、
セルラ帯トランシーバが、第4の帯域幅のセルラ帯を用いることによってセルラ基地局またはミリ波基地局によって送信された制御プレーンデータ情報を受信するようにさらに構成され、
セルラ帯トランシーバが、第4の帯域幅のセルラ帯を用いることによってセルラ基地局またはミリ波基地局にアップリンクデータを送信するようにさらに構成され、
セルラ帯トランシーバが、第4の帯域幅のセルラ帯の目標のアップリンク-ダウンリンクサブフレーム構成についての、セルラ基地局によって送信される情報を受信するようにさらに構成され、第4の帯域幅のセルラ帯の目標のアップリンク-ダウンリンクサブフレーム構成が、第1の帯域幅のミリ波帯の帯域幅に応じてセルラ基地局によって調節されたアップリンク-ダウンリンクサブフレーム構成であり、
セルラ帯トランシーバが、目標のアップリンク-ダウンリンクサブフレーム構成についての情報に従って、目標のアップリンク-ダウンリンクサブフレーム構成によって第4の帯域幅のセルラ帯を用いることによってセルラ基地局またはミリ波基地局によって送信された制御プレーンデータ情報を受信するようにさらに構成され、
セルラ帯トランシーバが、目標のアップリンク-ダウンリンクサブフレーム構成についての情報に従って、目標のアップリンク-ダウンリンクサブフレーム構成によって第4の帯域幅のセルラ帯を用いることによってセルラ基地局またはミリ波基地局にアップリンクデータを送信するようにさらに構成される。
【００１５】
第3の態様によれば、本発明の実施形態が、メモリ、コントローラ、ミリ波帯送信機、およびセルラ帯トランシーバを含み、
メモリが、コントローラに接続され、コントローラが、ミリ波帯送信機にさらに接続され、
メモリが、プログラムコードのグループおよびユーザデータを記憶するように構成され、コントローラが、以下の動作、すなわち、
ミリ波帯送信機によって、ミリ波帯を用いることによってユーザ機器にユーザプレーンデータ情報を送信する動作を実行するようにミリ波帯送信機を制御するためにメモリに記憶されたプログラムを呼び出すように構成され、
コントローラが、以下の動作、すなわち、
セルラ帯トランシーバによって、セルラ帯を用いることによってユーザ機器に制御プレーンデータ情報を送信する動作、および/または
セルラ帯トランシーバによって、セルラ帯を用いることによってユーザ機器によって送信されたアップリンクデータを受信する動作を実行するようにセルラ帯トランシーバを制御するためにメモリに記憶されたプログラムを呼び出すようにさらに構成される基地局を提供する。
【００１６】
第3の態様の第1の可能な実装方法においては、コントローラが、第1の帯域幅のミリ波帯をユーザ機器に割り当てるようにさらに構成され、
セルラ帯トランシーバが、ユーザ機器に第1の帯域幅のミリ波帯の第1の識別情報を送信するようにさらに構成され、
ミリ波帯送信機が、第1の識別情報に従って、第1の帯域幅のミリ波帯を用いることによってユーザ機器にユーザプレーンデータ情報を送信するようにさらに構成される。
【００１７】
第3の態様の第1の可能な実装方法に関連して、第3の態様の第2の可能な実装方法においては、ユーザ機器が、FDD方式にセルラ帯上で基地局と通信し、
セルラ帯トランシーバが、第2の帯域幅のセルラ帯を用いることによってユーザ機器に制御プレーンデータ情報を送信するようにさらに構成され、および/または
セルラ帯トランシーバが、第3の帯域幅のセルラ帯を用いることによってユーザ機器によって送信されたアップリンクデータを受信するようにさらに構成され、
コントローラが、第1の帯域幅のミリ波帯の帯域幅に応じて、ユーザ機器のために、第3の帯域幅のセルラ帯のアップリンクキャリアのためのキャリアの特定の帯域幅または特定の量を増やすようにさらに構成され、
セルラ帯トランシーバが、そのアップリンクキャリアが増やされる第3の帯域幅のセルラ帯の第2の識別情報をユーザ機器に送信するようにさらに構成され、
セルラ帯トランシーバが、第2の識別情報に従って、そのアップリンクキャリアが増やされる第3の帯域幅のセルラ帯を用いることによってユーザ機器によって送信されたアップリンクデータを受信するようにさらに構成される。
【００１８】
第4の態様によれば、本発明の実施形態が、
セルラ帯を用いることによってセルラ基地局またはミリ波基地局によって送信された制御プレーンデータ情報を受信するステップであって、制御プレーンデータ情報が、ミリ波帯の第1の識別情報を含む、ステップと、
セルラ帯を用いることによってセルラ基地局またはミリ波基地局にアップリンクデータを送信するステップであって、アップリンクデータが、第1の識別情報によって特定されたミリ波帯のフィードバック情報を含む、ステップと、
ミリ波帯を用いることによってミリ波基地局によって送信されたユーザプレーンデータ情報を受信するステップとを含む通信方法を提供する。
【００１９】
第4の態様の第1の可能な実装方法においては、ミリ波帯が、第1の帯域幅のミリ波帯を含み、第1の帯域幅のミリ波帯が、セルラ基地局またはミリ波基地局によって割り当てられるミリ波帯であり、
セルラ帯を用いることによってセルラ基地局またはミリ波基地局にアップリンクデータを送信するステップの前に、方法が、
セルラ基地局またはミリ波基地局によって送信され、そのアップリンクキャリアが増やされる第3の帯域幅のセルラ帯のものである第2の識別情報を受信するステップであって、そのアップリンクキャリアが増やされる第3の帯域幅のセルラ帯が、キャリアの特定の帯域幅または特定の量が増やされる第3の帯域幅のセルラ帯であり、第3の帯域幅のセルラ帯に関して増やされるキャリアの特定の帯域幅または特定の量が、第1の帯域幅のミリ波帯に応じてセルラ基地局またはミリ波基地局によって増やされる、ステップをさらに含み、
セルラ帯を用いることによってセルラ基地局またはミリ波基地局によって送信された制御プレーンデータ情報を受信するステップが、
第2の帯域幅のセルラ帯を用いることによってセルラ基地局またはミリ波基地局によって送信された制御プレーンデータ情報を受信するステップを含み、
セルラ帯を用いることによってセルラ基地局またはミリ波基地局にアップリンクデータを送信するステップが、
第2の識別情報に従って、そのアップリンクキャリアが増やされる第3の帯域幅のセルラ帯を用いることによってセルラ基地局またはミリ波基地局にアップリンクデータを送信するステップを含む。
【００２０】
第4の態様に関連して、第4の態様の第2の可能な実装方法においては、ミリ波帯が、第1の帯域幅のミリ波帯を含み、第1の帯域幅のミリ波帯が、セルラ基地局またはミリ波基地局によって割り当てられるミリ波帯であり、
セルラ帯を用いることによってセルラ基地局またはミリ波基地局によって送信された制御プレーンデータ情報を受信するステップの前に、方法が、
第4の帯域幅のセルラ帯の目標のアップリンク-ダウンリンクサブフレーム構成についての、セルラ基地局によって送信される情報を受信するステップであって、第4の帯域幅のセルラ帯の目標のアップリンク-ダウンリンクサブフレーム構成が、第1の帯域幅のミリ波帯の帯域幅に応じてセルラ基地局によって調節されたアップリンク-ダウンリンクサブフレーム構成である、ステップをさらに含み、
セルラ帯を用いることによってセルラ基地局またはミリ波基地局によって送信された制御プレーンデータ情報を受信するステップが、
目標のアップリンク-ダウンリンクサブフレーム構成についての情報に従って、目標のアップリンク-ダウンリンクサブフレーム構成によって第4の帯域幅のセルラ帯を用いることによってセルラ基地局またはミリ波基地局によって送信された制御プレーンデータ情報を受信するステップを含み、
セルラ帯を用いることによってセルラ基地局またはミリ波基地局にアップリンクデータを送信するステップが、
目標のアップリンク-ダウンリンクサブフレーム構成についての情報および識別情報に従って、目標のアップリンク-ダウンリンクサブフレーム構成によって第4の帯域幅のセルラ帯を用いることによってセルラ基地局またはミリ波基地局にアップリンクデータを送信するステップを含む。
【００２１】
上述の技術的な解決策においては、ユーザ機器が、セルラ帯を用いることによって第1のセルラ帯トランシーバまたは第2のセルラ帯トランシーバによって送信された制御プレーンデータ情報を第3のセルラ帯トランシーバを用いることによって受信し、第3のセルラ帯トランシーバを用いることによってセルラ帯を用いることによって第1のセルラ帯トランシーバまたは第2のセルラ帯トランシーバにアップリンクデータを送信し、それから、ミリ波帯を用いることによってミリ波帯送信機によって送信されたユーザプレーンデータ情報をミリ波帯受信機を用いることによって受信する。したがって、ユーザ機器が1つのセルラ帯トランシーバおよび1つのミリ波帯トランシーバを含む必要がある従来技術と比較して、ユーザ機器は、セルラ帯およびミリ波帯での通信を完了するために1つのセルラ帯トランシーバおよび1つのミリ波帯受信機のみを含む必要があり、本発明のこの実施形態においては、ユーザ機器のコストが削減されうる。
【００２２】
本発明の実施形態における技術的な解決策をより明瞭に説明するために、以下で、実施形態を説明するために必要とされる添付の図面を簡単に紹介する。明らかに、以下の説明における添付の図面は、本発明の一部の実施形態を示すに過ぎず、当業者は、創造的な努力なしにこれらの添付の図面からその他の図面を導き出すことがやはり可能である。
【図面の簡単な説明】
【００２３】
【図１】本発明の実施形態による通信システムの概略的な構造図である。
【図２】本発明の実施形態による別の通信システムの概略的な構造図である。
【図３】本発明の実施形態による任意選択の周波数帯の概略図である。
【図４】本発明の実施形態による任意選択の通信の概略図である。
【図５】本発明の実施形態による任意選択の通信の概略図である。
【図６】本発明の実施形態による任意選択の通信の概略図である。
【図７】本発明の実施形態によるユーザ機器の概略的な構造図である。
【図８】本発明の実施形態によるミリ波基地局の概略的な構造図である。
【図９】本発明の実施形態による別のミリ波基地局の概略的な構造図である。
【図１０】本発明の実施形態による通信方法の概略的な流れ図である。
【図１１】本発明の実施形態による別の通信方法の概略的な流れ図である。
【図１２】本発明の実施形態による別の通信方法の概略的な流れ図である。
【発明を実施するための形態】
【００２４】
以下で、本発明の実施形態における技術的な解決策を本発明の実施形態において添付の図面を参照して明瞭に説明する。明らかに、説明される実施形態は、本発明の実施形態の一部に過ぎず、すべてではない。創造的な努力なしに本発明の実施形態に基づいて当業者によって得られたすべてのその他の実施形態は、本発明の保護範囲内に入る。
【００２５】
本発明の実施形態において、通信システムは、詳細には、セルラネットワークがミリ波セルラ通信と共存する任意の通信システム、たとえば、ロングタームエボリューション(Long Term Evolution、LTE)ネットワークシステムまたはマイクロ波アクセスのための世界的相互運用性(Worldwide Interoperability for Microwave Access、WiMax)システムである可能性がある。
【００２６】
加えて、本発明の実施形態において、セルラ帯は、詳細には、低周波数帯(たとえば、3GHz以下の周波数帯)である可能性がある。
【００２７】
図1は、本発明の実施形態による通信システムの概略的な構造図である。図1に示されるように、通信システムは、セルラ基地局11、ミリ波基地局12、およびユーザ機器13を含み、
セルラ基地局11は、送信リンクを用いることによってミリ波基地局12に接続される。
【００２８】
図1-aに示されるように、セルラ基地局11は、第1のセルラ帯トランシーバ111を含み、図1-bに示されるように、ミリ波基地局12は、第2のセルラ帯トランシーバ121およびミリ波帯送信機122を含み、図1-cに示されるように、ユーザ機器13は、第3のセルラ帯トランシーバ131およびミリ波帯受信機132を含み、
第3のセルラ帯トランシーバ131は、セルラ帯を用いることによって第1のセルラ帯トランシーバ111または第2のセルラ帯トランシーバ121によって送信された制御プレーンデータ情報を受信するように構成される。
【００２９】
詳細には、第1のセルラ帯トランシーバ111が、セルラ帯を用いることによって第3のセルラ帯トランシーバ131に制御プレーンデータ情報を送信する可能性があり、または第2のセルラ帯トランシーバ121が、セルラ帯を用いることによって第3のセルラ帯トランシーバ131に制御プレーンデータ情報を送信する可能性がある。本明細書における制御プレーンデータ情報は、基地局とユーザ機器との間で送信される無線リソース制御(Radio Resource Control、RRC)シグナリング情報、基地局によってユーザ機器に送信されるブロードキャストチャネル(broadcasting channel、BCH)シグナリングなどである可能性がある。
【００３０】
第3のセルラ帯トランシーバ131は、セルラ帯を用いることによって第1のセルラ帯トランシーバ111または第2のセルラ帯トランシーバ121にアップリンクデータを送信するようにさらに構成される。
【００３１】
詳細には、第1のセルラ帯トランシーバ111が、セルラ帯を用いることによって第3のセルラ帯トランシーバ131によって送信される制御プレーンデータ情報およびユーザプレーンデータ情報、すなわち、上述のアップリンクデータを受信する可能性があり、または第2のセルラ帯トランシーバ121が、セルラ帯を用いることによって第3のセルラ帯トランシーバ131によって送信される制御プレーンデータ情報およびユーザプレーンデータ情報、すなわち、上述のアップリンクデータを受信する可能性がある。
【００３２】
ミリ波帯受信機132は、ミリ波帯を用いることによってミリ波帯送信機122によって送信されたユーザプレーンデータ情報を受信するように構成される。
【００３３】
上述のシステムは、セルラ基地局11、ミリ波基地局12、およびユーザ機器13を含み、詳細には、少なくとも1つのセルラ基地局11、少なくとも1つのミリ波基地局12、および少なくとも1つのユーザ機器13を含む可能性があることに留意されたい。つまり、上述のセルラ基地局11は、1つまたは複数のセルラ基地局を表す可能性があり、上述のミリ波基地局12は、1つまたは複数のミリ波基地局を表す可能性があり、上述のユーザ機器13は、1つまたは複数のユーザ機器を表す可能性がある。上述のアップリンクデータは、詳細には、以下、すなわち、
制御プレーンデータ情報およびユーザプレーンデータ情報のうちの少なくとも1つを含む可能性がある。
【００３４】
上述の技術的な解決策において、ユーザ機器は、セルラ帯を用いることによって第1のセルラ帯トランシーバまたは第2のセルラ帯トランシーバによって送信された制御プレーンデータ情報を第3のセルラ帯トランシーバを用いることによって受信し、第3のセルラ帯トランシーバを用いることによってセルラ帯を用いることによって第1のセルラ帯トランシーバまたは第2のセルラ帯トランシーバにアップリンクデータを送信し、それから、ミリ波帯を用いることによってミリ波帯送信機によって送信されたユーザプレーンデータ情報をミリ波帯受信機を用いることによって受信する。したがって、ユーザ機器が1つのセルラ帯トランシーバおよび1つのミリ波帯トランシーバを含む必要がある従来技術と比較して、ユーザ機器は、セルラ帯およびミリ波帯での通信を完了するために1つのセルラ帯トランシーバおよび1つのミリ波帯受信機のみを含む必要があり、本発明のこの実施形態においては、ユーザ機器のコストが削減されうる。
【００３５】
図2は、本発明の実施形態による通信システムの概略的な構造図である。図2に示されるように、通信システムは、セルラ基地局21、ミリ波基地局22、およびユーザ機器23を含み、
セルラ基地局21は、送信リンクを用いることによってミリ波基地局22に接続される。
【００３６】
詳細には、セルラ基地局21は、回路を用いることによってミリ波基地局22に接続される可能性があり、ファイバ配線バックホールリンクを用いることによってミリ波基地局22に接続される可能性があり、またはミリ波ワイヤレスバックホールリンクを用いることによってミリ波基地局22に接続される可能性がある。セルラ基地局21は、上述のリンクを用いることによってミリ波基地局22とデータをやりとりしうる。詳細には、セルラ基地局21は、ユーザ機器23に送信される必要があるユーザプレーンデータ情報をミリ波基地局22への上述のリンクを用いることによって送信する可能性があり、同時に、ユーザプレーンデータ情報のスケジューリング情報をミリ波基地局22にさらに送信する可能性があり、つまり、スケジューリング情報を用いることによって、ユーザ機器23にユーザプレーンデータ情報を送信するためにミリ波基地局22をスケジューリングする可能性がある。
【００３７】
図2-aに示されるように、セルラ基地局21は、第1のセルラ帯トランシーバ211を含み、図2-bに示されるように、ミリ波基地局22は、第2のセルラ帯トランシーバ221およびミリ波帯送信機222を含み、図2-cに示されるように、ユーザ機器23は、第3のセルラ帯トランシーバ231およびミリ波帯受信機232を含み、
第3のセルラ帯トランシーバ231は、セルラ帯を用いることによって第1のセルラ帯トランシーバ211または第2のセルラ帯トランシーバ221によって送信された制御プレーンデータ情報を受信するように構成される。
【００３８】
第3のセルラ帯トランシーバ231は、セルラ帯を用いることによって第1のセルラ帯トランシーバ211または第2のセルラ帯トランシーバ221にアップリンクデータを送信するようにさらに構成される。
【００３９】
詳細には、第1のセルラ帯トランシーバ211が、セルラ帯を用いることによって第3のセルラ帯トランシーバ231によって送信された制御プレーンデータ情報を受信する可能性があり、または第2のセルラ帯トランシーバ221が、セルラ帯を用いることによって第3のセルラ帯トランシーバ231によって送信された制御プレーンデータ情報を受信する可能性がある。
【００４０】
ミリ波帯受信機232は、ミリ波帯を用いることによってミリ波帯送信機222によって送信されたユーザプレーンデータ情報を受信するように構成される。
【００４１】
任意選択の実装方法として、セルラ基地局21は、第1の帯域幅のミリ波帯をユーザ機器に割り当てるようにさらに構成される可能性があり、
第1のセルラ帯トランシーバ211は、第3のセルラ帯トランシーバに第1の帯域幅のミリ波帯の第1の識別情報を送信するようにさらに構成される可能性があり、
ミリ波帯受信機232は、第1の識別情報に従って、第1の帯域幅のミリ波帯を用いることによってミリ波帯送信機によって送信されたユーザプレーンデータ情報を受信するようにさらに構成される可能性がある。
【００４２】
詳細には、ユーザ機器23が、セルラ帯を用いることによってセルラ基地局21への接続を確立した後、ミリ波帯を測定し、ミリ波帯のチャネル状態情報をセルラ基地局21にフィードバックする可能性があり、それから、セルラ基地局21が、測定結果に応じてユーザ機器23に上述の第1の帯域幅(たとえば、200MHz)のミリ波帯を割り当てる可能性がある。そして、セルラ基地局21は、上述の第1の帯域幅(たとえば、200MHz)のミリ波帯の識別情報、すなわち、上述の第1の識別情報を生成する可能性がある。したがって、識別情報を受信した後、ユーザ機器23は、識別情報に従って上述の第1の帯域幅のミリ波帯を見つけ、ミリ波帯においてユーザプレーンデータ情報を受信する可能性がある。
【００４３】
特に、上述の第1の帯域幅のミリ波帯は、ユーザ機器23のダウンリンクデータ送信のために排他的に使用されうる。詳細には、上述の第1の識別情報は、第1の帯域幅のミリ波帯に対応するID番号である可能性がある。
【００４４】
特に、セルラ基地局21は、メモリ212およびコントローラ213をさらに含む可能性があり、
メモリ212は、プログラムコードのグループを記憶するように構成され、コントローラ213は、ユーザ機器に第1の帯域幅のミリ波帯を割り当てる動作を実行するためにメモリ212に記憶されたプログラムを呼び出すように構成される。
【００４５】
任意選択の実装方法として、ミリ波基地局22は、第1の帯域幅のミリ波帯をユーザ機器に割り当てるようにさらに構成される可能性があり、
第2のセルラ帯トランシーバ221は、第3のセルラ帯トランシーバに第1の帯域幅のミリ波帯の第1の識別情報を送信するようにさらに構成される可能性があり、
ミリ波帯受信機231は、第1の識別情報に従って、第1の帯域幅のミリ波帯を用いることによってミリ波帯送信機によって送信されたユーザプレーンデータ情報を受信するようにさらに構成される可能性がある。
【００４６】
詳細には、ユーザ機器23がセルラ帯を用いることによってセルラ基地局21への接続を確立した後、セルラ基地局21が、ユーザ機器23にミリ波帯の帯域幅を割り当てる指示情報をミリ波基地局22に送信する可能性があり、指示情報を受信した後、ミリ波基地局22が、ミリ波帯を測定する可能性があり、それから、測定結果に応じてユーザ機器23に上述の第1の帯域幅の(たとえば、200MHz)のミリ波帯を割り当てる可能性がある。
【００４７】
特に、上述の第1の帯域幅の帯は、ユーザ機器23のダウンリンクデータ送信のために排他的に使用されうる。詳細には、上述の第1の識別情報は、第1の帯域幅のミリ波帯に対応するID番号である可能性がある。
【００４８】
特に、ミリ波基地局22は、メモリ223およびコントローラ224をさらに含む可能性があり、
メモリ223は、プログラムコードのグループを記憶するように構成され、コントローラ224は、ユーザ機器に第1の帯域幅のミリ波帯を割り当てる動作を実行するためにメモリ223に記憶されたプログラムを呼び出すように構成される。
【００４９】
任意選択の実装方法として、ユーザ機器23は、周波数分割複信(Frequency Division Duplex、FDD)方式にセルラ帯上でセルラ基地局21と通信し、および/またはFDD方式にセルラ帯上でミリ波基地局22と通信する。つまり、第3のセルラ帯トランシーバ231が、上述の制御プレーンデータ情報を受信し、上述のアップリンクデータを送信し、これは、特に、FDD方式に実行される可能性がある。詳細は、以下の通りである可能性がある。
【００５０】
第3のセルラ帯トランシーバ231は、第2の帯域幅のセルラ帯を用いることによって第1のセルラ帯トランシーバ211または第2のセルラ帯トランシーバ221によって送信された制御プレーンデータ情報を受信するようにさらに構成される可能性があり、
第3のセルラ帯トランシーバ231は、第3の帯域幅のセルラ帯を用いることによって第1のセルラ帯トランシーバ211または第2のセルラ帯トランシーバ221にアップリンクデータを送信するようにさらに構成される可能性がある。
【００５１】
特に、上述の第2の帯域幅のセルラ帯および上述の第3の帯域幅のセルラ帯は、独立した帯域幅を有する2つのセルラ帯である可能性がある。たとえば、第3のセルラ帯トランシーバ231は、セルラ帯の中の10MHzの帯域幅を有するダウンリンクキャリアを用いることによって第1のセルラ帯トランシーバ211または第2のセルラ帯トランシーバ221によって送信された制御プレーンデータ情報を受信し、第3のセルラ帯トランシーバ231は、別のセルラ帯の中の10MHzの帯域幅を有するアップリンクキャリアを用いることによって第1のセルラ帯トランシーバ211または第2のセルラ帯トランシーバ221にアップリンクデータを送信する。
【００５２】
この実装方法は、第1の帯域幅のミリ波帯の上述の実装方法を参照してさらに実装される可能性があり、セルラ基地局21は、第1の帯域幅のミリ波帯の帯域幅に応じて、ユーザ機器23のために、第3の帯域幅のセルラ帯のアップリンクキャリアのためのキャリアの特定の帯域幅または特定の量を増やすようにさらに構成される可能性があり、
第1のセルラ帯トランシーバ211は、そのアップリンクキャリアが増やされる第3の帯域幅のセルラ帯の第2の識別情報を第3のセルラ帯トランシーバ231に送信するようにさらに構成される可能性がある。
【００５３】
たとえば、上述の第3の帯域幅のセルラ帯は、予めシステムによってユーザ機器23に割り当てられた帯域幅(たとえば、10MHzセルラ帯)であり、セルラ基地局21またはミリ波基地局22がユーザ機器23に上述の第1の帯域幅のミリ波帯を割り当てるとき、セルラ基地局21は、第1の帯域幅のミリ波帯の帯域幅に応じてユーザ機器23へのアップリンクの負荷を予め推定し、それから、第3の帯域幅のセルラ帯がユーザ機器23へのアップリンクの負荷を担うことができるかどうかを判定し、第3の帯域幅のセルラ帯がユーザ機器23へのアップリンクの負荷を担うことができないと判定されるとき、セルラ基地局21は、ユーザ機器23への予め推定されたアップリンクの負荷に応じて第3の帯域幅のセルラ帯のアップリンクキャリアを増やす可能性がある。
【００５４】
詳細には、第3の帯域幅のセルラ帯のアップリンクキャリアを増やすことは、第3の帯域幅のセルラ帯の帯域幅を増やすことか、または第3の帯域幅のセルラ帯のアップリンクキャリアの量を増やすことである可能性がある。たとえば、第3の帯域幅のセルラ帯は、10MHzの帯域幅を有する周波数帯であり、セルラ基地局21は、第3の帯域幅のセルラ帯を30MHzの帯域幅を有する周波数帯に調節するかまたは複数の10MHzセルラ帯を上述の第3の帯域幅のセルラ帯としてアグリゲーションする可能性がある。
【００５５】
詳細には、上述の第2の識別情報は、そのアップリンクキャリアが増やされる第3の帯域幅のセルラ帯のID番号である可能性がある。第1のセルラ帯トランシーバ211は、第3のセルラ帯トランシーバ231に上述の第2の識別情報を送信し、詳細には、無線リソース制御(Radio Resource Control、RRC)プロトコルのシグナリングを用いることによって第3のセルラ帯トランシーバ231に上述の第2の識別情報を送信する可能性がある。つまり、ユーザ機器23のために第3の帯域幅のセルラ帯のアップリンクキャリアを増やすことは、RRCシグナリングを用いることによって実装される。
【００５６】
任意選択で、セルラ基地局21は、第1の帯域幅のミリ波帯の帯域幅に応じてユーザ機器へのアップリンクの負荷を予め推定し、ユーザ機器23へのアップリンクの負荷に応じて第3の帯域幅のセルラ帯のアップリンクキャリアのためのキャリアの特定の帯域幅または特定の量を増やすようにさらに構成される可能性がある。たとえば、セルラ基地局21は、ミリ波帯のリンクのチャネル状態情報をフィードバックするためにユーザ機器23によって使用されるアップリンクの負荷の量を第1の帯域幅のミリ波帯の帯域幅を用いることによって獲得し、ユーザ機器23のためのアップリンクの負荷の量に応じて第3の帯域幅のセルラ帯のアップリンクキャリアのためのキャリアの特定の帯域幅または特定の量を増やす可能性がある。したがって、セルラ帯のアップリンクキャリアの帯域幅またはアップリンクキャリアの量を構成することは、ミリ波帯およびセルラ帯の負荷に応じて半静的に実施される可能性がある。
【００５７】
実装方法において、ミリ波基地局22は、第1の帯域幅のミリ波帯の、ユーザ機器23のための帯域幅に応じて、第3の帯域幅のセルラ帯のアップリンクキャリアのためのキャリアの特定の帯域幅または特定の量を増やすようにさらに構成される可能性があり、
第2のセルラ帯トランシーバ221は、そのアップリンクキャリアが増やされる第3の帯域幅のセルラ帯の第2の識別情報を第3のセルラ帯トランシーバ231に送信するようにさらに構成される可能性があり、
第3のセルラ帯トランシーバ231は、そのアップリンクキャリアが増やされる第3の帯域幅のセルラ帯を用いることによって、第2の識別情報に従って、第1のセルラ帯トランシーバ211または第2のセルラ帯トランシーバ221にアップリンクデータを送信するようにさらに構成される。
【００５８】
任意選択で、ミリ波基地局22は、第1の帯域幅のミリ波帯の帯域幅に応じてユーザ機器へのアップリンクの負荷を予め推定し、ユーザ機器23へのアップリンクの負荷に応じて第3の帯域幅のセルラ帯のアップリンクキャリアのためのキャリアの特定の帯域幅または特定の量を増やすようにさらに構成される可能性がある。たとえば、ミリ波基地局22は、ミリ波帯のリンクのチャネル状態情報をフィードバックするためにユーザ機器23によって使用されるアップリンクの負荷の量を第1の帯域幅のミリ波帯の帯域幅を用いることによって獲得し、ユーザ機器23のためのアップリンクの負荷の量に応じて第3の帯域幅のセルラ帯のアップリンクキャリアのためのキャリアの特定の帯域幅または特定の量を増やす可能性がある。
【００５９】
特定の実装プロセスに関しては、セルラ基地局21を実装するプロセスが参照可能であり、そのプロセスは、本明細書において繰り返し説明されない。
【００６０】
任意選択で、実装方法が、特に図3に示される可能性がある。ユーザ機器23は、ミリ波基地局22にアクセスする前に、10MHzのダウンリンクキャリア301および10MHzのアップリンクキャリア302を用いることによって最初にセルラ基地局21と通信する。ユーザ機器23がミリ波基地局22にアクセスする必要があるとき、セルラ基地局21またはミリ波基地局22は、ミリ波帯の200MHzの帯域幅を有するダウンリンクキャリア303をユーザ機器に割り当てる、つまり、ユーザ機器23がミリ波基地局22にアクセスした後、ユーザ機器23のダウンリンクキャリアは、10MHzのダウンリンクキャリア301およびミリ波帯の200MHzの帯域幅を有するダウンリンクキャリア303を含む可能性がある。ミリ波帯の200MHzの帯域幅を有するダウンリンクキャリア303はユーザ機器23に割り当てられるので、10MHzのアップリンクキャリア302がユーザ機器23のアップリンクデータの要件を満たすことは難しい可能性があり、そのとき、セルラ基地局21またはミリ波基地局22は、ユーザ機器23によって使用されるセルラ帯のアップリンクキャリアの量を増やす可能性がある。たとえば、10MHzのアップリンクキャリア304および10MHzのアップリンクキャリア305が増やされ、ユーザ機器23のアップリンクキャリアが、10MHzのアップリンクキャリア302、10MHzのアップリンクキャリア304、および10MHzのアップリンクキャリア305を含む可能性がある。
【００６１】
任意選択の実装方法として、ユーザ機器23は、時分割復信(Time Division Duplex、FDD)方式にセルラ帯上でセルラ基地局21と通信し、および/またはTDD方式にセルラ帯上でミリ波基地局22と通信する。つまり、第3のセルラ帯トランシーバ231によって上述の制御プレーンデータ情報を受信することおよび上述のアップリンクデータを送信することは、同じ帯域幅を有するセルラ帯を用いることによって実行される。詳細は、以下の通りである可能性がある。
【００６２】
第3のセルラ帯トランシーバ231は、第4の帯域幅のセルラ帯を用いることによって第1のセルラ帯トランシーバ211または第2のセルラ帯トランシーバ221によって送信された制御プレーンデータ情報を受信するようにさらに構成される。
第3のセルラ帯トランシーバは、第4の帯域幅のセルラ帯を用いることによって第1のセルラ帯トランシーバ211または第2のセルラ帯トランシーバ221にアップリンクデータを送信するようにさらに構成される。
【００６３】
たとえば、第3のセルラ帯トランシーバ231は、第4の帯域幅のセルラ帯の中のダウンリンクサブフレームを用いることによって第1のセルラ帯トランシーバ211または第2のセルラ帯トランシーバ221によって送信された制御プレーンデータ情報を受信し、第4の帯域幅のセルラ帯の中のアップリンクサブフレームを用いることによって第1のセルラ帯トランシーバ211または第2のセルラ帯トランシーバ221にアップリンクデータを送信する。
【００６４】
任意選択で、セルラ基地局21は、第1の帯域幅のミリ波帯の帯域幅に応じて第4の帯域幅のセルラ帯の現在のアップリンク-ダウンリンクサブフレーム構成を目標のアップリンク-ダウンリンクサブフレーム構成に調節するようにさらに構成される可能性があり、
第1のセルラ帯トランシーバ211は、目標のアップリンク-ダウンリンクサブフレーム構成についての情報を第3のセルラ帯トランシーバ231に送信するようにさらに構成される可能性があり、
第3のセルラ帯トランシーバ231は、目標のアップリンク-ダウンリンクサブフレーム構成についての情報に従って、目標のアップリンク-ダウンリンクサブフレーム構成によって第4の帯域幅のセルラ帯を用いることによって第1のセルラ帯トランシーバ211または第2のセルラ帯トランシーバ221によって送信された制御プレーンデータ情報を受信するようにさらに構成される可能性があり、
第3のセルラ帯トランシーバ231は、目標のアップリンク-ダウンリンクサブフレーム構成についての情報に従って、目標のアップリンク-ダウンリンクサブフレーム構成によって第4の帯域幅のセルラ帯を用いることによって第1のセルラ帯トランシーバ211または第2のセルラ帯トランシーバ221にアップリンクデータを送信するようにさらに構成される可能性がある。
【００６５】
たとえば、第4の帯域幅のセルラ帯の現在のアップリンク-ダウンリンクサブフレーム構成は、通信プロトコルにおいて定義されたアップリンク-ダウンリンクサブフレーム構成3であり、つまり、第4の帯域幅のセルラ帯の現在のアップリンク-ダウンリンクサブフレームの比は、3:6である。たとえば、第4の帯域幅のセルラ帯は、10MHzの帯域幅を有する周波数帯であり、そのとき、第4の帯域幅のセルラ帯上で、各無線フレームは、10個の無線サブフレームを含み、サブフレーム2、3、および4は、アップリンクサブフレームであり、サブフレーム0、5、6、7、8、および9は、ダウンリンクサブフレームであり、サブフレーム1は、切り替えサブフレームである。そのとき、セルラ基地局21は、上述のアップリンク-ダウンリンクサブフレーム構成3を通信プロトコルにおいて定義されたアップリンク-ダウンリンクサブフレーム構成0に調節する可能性があり、つまり、第4の帯域幅のセルラ帯の調節されたアップリンク-ダウンリンクサブフレームの比は、6:2である。たとえば、第4の帯域幅のセルラ帯は、10MHzの帯域幅を有する周波数帯であり、そのとき、第4の帯域幅のセルラ帯上で、各無線フレームは、10個の無線サブフレームを含み、サブフレーム2、3、4、7、8、および9は、アップリンクサブフレームとして構成され、サブフレーム0および5は、ダウンリンクサブフレームとして構成され、サブフレーム1および6は、切り替えサブフレームである。
【００６６】
特に、上述の通信プロトコルは、LTE-Advancedプロトコルである可能性がある。
【００６７】
任意選択で、セルラ基地局21は、第1の帯域幅のミリ波帯の帯域幅に応じてユーザ機器23へのアップリンクの負荷を予め推定し、アップリンクの負荷に応じて第4の帯域幅のセルラ帯の現在のアップリンク-ダウンリンクサブフレーム構成を目標のアップリンク-ダウンリンクサブフレーム構成に調節するようにさらに構成される可能性がある。たとえば、セルラ基地局21は、ミリ波帯のリンクのチャネル状態情報をフィードバックするためにユーザ機器23によって使用されるアップリンクの負荷の量を第1の帯域幅のミリ波帯の帯域幅を用いることによって獲得し、アップリンクの負荷の量に応じて第4の帯域幅のセルラ帯の現在のアップリンク-ダウンリンクサブフレーム構成を目標のアップリンク-ダウンリンクサブフレーム構成に調節する可能性がある。代替的に、セルラ基地局21は、上述の第1の帯域幅のミリ波帯を用いることによってダウンリンク通信を実行するユーザ機器23の量に応じてセルラ帯におけるこれらのユーザ機器23へのアップリンクの負荷を獲得し、それから、アップリンクの負荷の量に応じて第4の帯域幅のセルラ帯の現在のアップリンク-ダウンリンクサブフレーム構成を目標のアップリンク-ダウンリンクサブフレーム構成に調節する。したがって、セルラ帯のアップリンク-ダウンリンクサブフレーム構成を構成することは、ミリ波帯およびセルラ帯の負荷に応じて半静的に実施される可能性がある。
【００６８】
任意選択の実装方法として、図4に示されるように、セルラ基地局21およびミリ波基地局22は、セルラ基地局21およびミリ波基地局22のそれぞれのアンテナを立てるための場所(たとえば、セルの塔もしくはポール)を共有するかまたはアンテナを共有する可能性がある。セルラ基地局21は、回路を用いることによってミリ波基地局22に接続され、つまり、セルラ基地局21とミリ波基地局22との間のデータのやりとりは、高速な回路の間のやりとりである可能性がある。したがって、バックホールリンクの遅延および容量の問題が、セルラ基地局21とミリ波基地局22との間に存在せず、通信システムの送信効率が、改善されうる。
【００６９】
実装方法において、ミリ波基地局22のカバレッジエリアは、セルラ基地局21のカバレッジエリアと一致する可能性がある。たとえば、ミリ波基地局22およびセルラ基地局21の両方のカバレッジエリアは、ホットスポットであり、たとえば、ホットスポットは、200メートルから500メートルまでの半径を有するエリアである。確かに、ミリ波基地局22のカバレッジエリアは、さらに、セルラ基地局21のカバレッジエリアよりも小さい可能性がある。たとえば、ミリ波基地局22は、200メートルから500メートルまでの半径を有するエリアをカバーするホットスポットとして働き、セルラ基地局21は、1キロメートルから2キロメートルまでに達する半径を有するより広いエリアをカバーする。したがって、上述のユーザ機器23は、ミリ波基地局22のカバレッジエリア内に位置し、併置の場所のセルラ基地局21のカバレッジエリア内に位置しているユーザ機器である可能性がある。
【００７０】
実装方法において、ミリ波基地局22のカバレッジエリア内のユーザ機器23は、セルラ帯401を用いることによってセルラ基地局21によって送信された制御プレーン情報を第3のセルラ帯トランシーバ231を用いることによって受信し、ミリ波帯402を用いることによってミリ波基地局22によって送信されたユーザプレーン情報をミリ波帯受信機232を用いることによって受信する。第3のセルラ帯トランシーバ231は、セルラ帯401を用いることによってセルラ基地局21またはミリ波基地局22に(制御プレーン情報およびユーザプレーン情報を含む)アップリンクデータを送信する。ミリ波基地局22のカバレッジエリアを外れたところに位置したユーザ機器24は、セルラ帯401を用いることによってのみセルラ基地局21と通信することができる。
【００７１】
任意選択の実装方法として、図5に示されるように、セルラ基地局21およびミリ波基地局22は、異なる場所において構成される。構成において、セルラ基地局21およびミリ波基地局22は、異なる場所に立てられる。セルラ基地局21およびミリ波基地局22は、ファイバ配線バックホールリンクまたはミリ波ワイヤレスバックホールリンクを用いることによって互いにデータをやりとりする可能性がある。このネットワークアーキテクチャにおいては、1つまたは複数のミリ波基地局22が、セルラ基地局21のカバレッジエリア内に位置する。ミリ波基地局22のカバレッジエリア内に位置したユーザ機器23は、セルラ帯を用いることによってセルラ基地局とのデータ送信を実行する可能性がある。
【００７２】
ミリ波基地局22のカバレッジエリア内のユーザ機器23は、セルラ帯501を用いることによってセルラ基地局21によって送信された制御プレーン情報を第3のセルラ帯トランシーバ231を用いることによって受信し、ミリ波帯502を用いることによってミリ波基地局22によって送信されたユーザプレーン情報をミリ波帯受信機232を用いることによって受信する。第3のセルラ帯トランシーバ231は、セルラ帯501を用いることによってセルラ基地局21に(制御プレーン情報およびユーザプレーン情報を含む)アップリンクデータを送信する。このアーキテクチャにおいては、ミリ波基地局22が、中継ノードと考えられる可能性があり、スケジューリング情報のスケジューリングと送信との両方が、セルラ基地局21によって完了され、詳細には、スケジューリングは、ユーザ機器23に送信される制御プレーンデータ情報およびユーザプレーンデータ情報をスケジューリングすることを指す可能性がある。ユーザプレーンデータ情報は、セルラ基地局21とミリ波基地局22との間のバックホールリンクを用いることによってミリ波基地局22に最初に移される可能性があり、セルラ基地局21は、ミリ波基地局22にスケジューリング情報を送信することによって、ミリ波帯502を用いることによってユーザ機器にユーザプレーンデータ情報を送信するためにミリ波基地局22をスケジューリングする。さらに、ユーザ機器23は、セルラ帯501を用いることによってセルラ基地局21にユーザ機器23の肯定応答(Acknowledgement、ACK)などの肯定応答メッセージをフィードバックするか、またはセルラ帯501を用いることによってセルラ基地局21にユーザ機器23の否定応答(Negative Acknowledgement、NACK)などの非肯定メッセージをフィードバックする可能性がある。そのとき、セルラ基地局21は、ユーザ機器23によってフィードバックされた情報に従って、対応する再送信を実行するためにミリ波基地局22をスケジューリングする。ミリ波基地局22のカバレッジエリアを外れたところに位置したユーザ機器24は、セルラ帯501を用いることによってのみセルラ基地局21と通信することができる。
【００７３】
任意選択の実装方法として、図6に示されるように、セルラ基地局21およびミリ波基地局22は、異なる場所において構成される。構成において、セルラ基地局21およびミリ波基地局22は、異なる場所に立てられる。セルラ基地局21およびミリ波基地局22は、ファイバ配線バックホールリンクまたはミリ波ワイヤレスバックホールリンクを用いることによって互いにデータをやりとりする可能性がある。このネットワークアーキテクチャにおいては、1つまたは複数のミリ波基地局22が、セルラ基地局21のカバレッジエリア内に位置する。
【００７４】
ミリ波基地局22のカバレッジエリア内のユーザ機器23は、セルラ帯601を用いることによってセルラ基地局21によって送信された制御プレーン情報を第3のセルラ帯トランシーバ231を用いることによって受信し、ミリ波帯602を用いることによってミリ波基地局22によって送信されたユーザプレーン情報をミリ波帯受信機232を用いることによって受信する。第3のセルラ帯トランシーバ231は、セルラ帯601を用いることによってミリ波基地局22に(制御プレーン情報およびユーザプレーン情報を含む)アップリンクデータを送信する。このアーキテクチャにおいては、ミリ波基地局22が、中継ノードと考えられる可能性があり、スケジューリング情報のスケジューリングと送信との両方が、セルラ基地局21によって完了され、詳細には、スケジューリングは、ユーザ機器23に送信される制御プレーンデータ情報およびユーザプレーンデータ情報をスケジューリングすることを指す可能性がある。ユーザプレーンデータ情報は、セルラ基地局21とミリ波基地局22との間のバックホールリンクを用いることによってミリ波基地局22に最初に移される可能性があり、セルラ基地局21は、ミリ波基地局22にスケジューリング情報を送信することによって、ミリ波帯602を用いることによってユーザ機器にユーザプレーンデータ情報を送信するためにミリ波基地局22をスケジューリングする。さらに、ユーザ機器23は、セルラ帯601を用いることによってミリ波基地局22にユーザ機器23のACKなどの肯定応答メッセージをフィードバックするか、またはセルラ帯601を用いることによってミリ波基地局22にユーザ機器23のNACKなどの非肯定メッセージをフィードバックする可能性がある。そのとき、ミリ波基地局22は、ユーザ機器23によってフィードバックされた情報に従って、対応する再送信を実行する。ミリ波基地局22のカバレッジエリアを外れたところに位置したユーザ機器24は、セルラ帯601を用いることによってのみセルラ基地局21と通信することができる。
【００７５】
図7は、本発明の実施形態によるユーザ機器の概略的な構造図である。図7に示されるように、ユーザ機器は、メモリ71、コントローラ72、セルラ帯トランシーバ73、およびミリ波帯受信機74を含み、
メモリ71は、コントローラ72に接続され、コントローラ72は、セルラ帯トランシーバ73およびミリ波帯受信機74に別々にさらに接続され、
メモリ71は、プログラムコードのグループおよびユーザデータを記憶するように構成され、コントローラ72は、以下の動作、すなわち、
セルラ帯トランシーバ73によって、セルラ帯を用いることによってセルラ基地局またはミリ波基地局によって送信された制御プレーンデータ情報を受信する動作と、
セルラ帯トランシーバ73によって、セルラ帯を用いることによってセルラ基地局またはミリ波基地局にアップリンクデータを送信する動作と、
ミリ波帯受信機74によって、ミリ波帯を用いることによってミリ波基地局によって送信されたユーザプレーンデータ情報を受信する動作とを実行するようにセルラ帯トランシーバ73およびミリ波帯受信機74を制御するためにメモリ71に記憶されたプログラムを呼び出すように構成される。
【００７６】
任意選択で、上述のアップリンクデータは、詳細には、以下、すなわち、
制御プレーンデータ情報およびユーザプレーンデータ情報のうちの少なくとも1つを含む可能性がある。
【００７７】
任意選択の実装方法として、セルラ帯トランシーバ73は、第1の帯域幅のミリ波帯のものであり、セルラ基地局またはミリ波基地局によって送信される第1の識別情報を受信するようにさらに構成される可能性があり、第1の帯域幅のミリ波帯は、セルラ基地局またはミリ波基地局によってユーザ機器に割り当てられたミリ波帯であり、
ミリ波帯受信機74は、第1の識別情報に従って、ミリ波帯を用いることによってミリ波基地局によって送信されたユーザプレーンデータ情報を受信するようにさらに構成される可能性がある。
【００７８】
詳細には、上述の第1の帯域幅の帯域は、ユーザ機器のダウンリンクデータ送信のために排他的に使用されうる。詳細には、上述の第1の識別情報は、第1の帯域幅のミリ波帯に対応するID番号である可能性がある。
【００７９】
任意選択の実装方法として、ユーザ機器は、FDD方式にセルラ帯上でセルラ基地局と通信し、および/またはFDD方式にセルラ帯上でミリ波基地局と通信し、
セルラ帯トランシーバ73は、第2の帯域幅のセルラ帯を用いることによってセルラ基地局またはミリ波基地局によって送信された制御プレーンデータ情報を受信するようにさらに構成される可能性があり、
セルラ帯トランシーバ73は、第3の帯域幅のセルラ帯を用いることによってセルラ基地局またはミリ波基地局にアップリンクデータを送信するようにさらに構成される可能性があり、
セルラ帯トランシーバ73は、セルラ基地局またはミリ波基地局によって送信され、そのアップリンクキャリアが増やされる第3の帯域幅のセルラ帯のものである第2の識別情報を受信するようにさらに構成され、そのアップリンクキャリアが増やされる第3の帯域幅のセルラ帯は、キャリアの特定の帯域幅または特定の量が増やされる第3の帯域幅のセルラ帯であり、第3の帯域幅のセルラ帯に関して増やされるキャリアの特定の帯域幅または特定の量は、第1の帯域幅のミリ波帯の帯域幅に応じてセルラ基地局またはミリ波基地局によってユーザ機器のために増やされるアップリンクキャリアであり、
セルラ帯トランシーバ73は、そのアップリンクキャリアが増やされる第3の帯域幅のセルラ帯を用いることによって、第2の識別情報に従って、セルラ基地局またはミリ波基地局にアップリンクデータを送信するようにさらに構成される可能性がある。
【００８０】
たとえば、上述の第3の帯域幅のセルラ帯は、予めシステムによってユーザ機器に割り当てられた帯域幅(たとえば、10MHzセルラ帯)であり、セルラ基地局またはミリ波基地局が、ユーザ機器に上述の第1の帯域幅のミリ波帯を割り当てるとき、セルラ基地局またはミリ波基地局は、第1の帯域幅のミリ波帯の帯域幅に応じてユーザ機器へのアップリンクの負荷を予め推定し、それから、第3の帯域幅のセルラ帯がユーザ機器へのアップリンクの負荷を担うことができるかどうかを判定し、第3の帯域幅のセルラ帯がユーザ機器へのアップリンクの負荷を担うことができないと判定されるとき、セルラ基地局またはミリ波基地局は、第1の帯域幅のミリ波帯の帯域幅に応じて、ユーザ機器のために、第3の帯域幅のセルラ帯のアップリンクキャリアを増やす可能性がある。
【００８１】
詳細には、第3の帯域幅のセルラ帯のアップリンクキャリアを増やすことは、第3の帯域幅のセルラ帯の帯域幅を増やすことか、または第3の帯域幅のセルラ帯のアップリンクキャリアの量を増やすことである可能性がある。たとえば、第3の帯域幅のセルラ帯は、10MHzの帯域幅を有する周波数帯であり、セルラ基地局またはミリ波基地局は、第3の帯域幅のセルラ帯を30MHzに調節するかまたは複数の10MHzセルラ帯を上述の第3の帯域幅のセルラ帯として使用する可能性がある。
【００８２】
詳細には、上述の第2の識別情報は、そのアップリンクキャリアが増やされる第3の帯域幅のセルラ帯のID番号である可能性がある。セルラ基地局またはミリ波基地局は、セルラ帯トランシーバ73に上述の第2の識別情報を送信し、詳細には、RRCシグナリングを用いることによってセルラ帯トランシーバ73に上述の第2の識別情報を送信する可能性がある。つまり、ユーザ機器のために第3の帯域幅のセルラ帯のアップリンクキャリアを増やすことは、RRCシグナリングを用いることによって実装される。
【００８３】
任意選択の実装方法として、ユーザ機器は、TDD方式にセルラ帯上でセルラ基地局と通信し、および/またはTDD方式にセルラ帯上でミリ波基地局と通信し、
セルラ帯トランシーバ73は、第4の帯域幅のセルラ帯を用いることによってセルラ基地局またはミリ波基地局によって送信された制御プレーンデータ情報を受信するようにさらに構成される可能性があり、
セルラ帯トランシーバ73は、第4の帯域幅のセルラ帯を用いることによってセルラ基地局またはミリ波基地局にアップリンクデータを送信するようにさらに構成される可能性があり、
セルラ帯トランシーバ73は、第4の帯域幅のセルラ帯の目標のアップリンク-ダウンリンクサブフレーム構成についての、セルラ基地局によって送信される情報を受信するようにさらに構成される可能性があり、第4の帯域幅のセルラ帯の目標のアップリンク-ダウンリンクサブフレーム構成は、第1の帯域幅のミリ波帯の帯域幅に応じてセルラ基地局によって調節されたアップリンク-ダウンリンクサブフレーム構成であり、
セルラ帯トランシーバ73は、目標のアップリンク-ダウンリンクサブフレーム構成についての情報に従って、目標のアップリンク-ダウンリンクサブフレーム構成によって第4の帯域幅のセルラ帯を用いることによってセルラ基地局またはミリ波基地局によって送信された制御プレーンデータ情報を受信するようにさらに構成される可能性があり、
セルラ帯トランシーバ73は、目標のアップリンク-ダウンリンクサブフレーム構成についての情報に従って、目標のアップリンク-ダウンリンクサブフレーム構成によって第4の帯域幅のセルラ帯を用いることによってセルラ基地局またはミリ波基地局にアップリンクデータを送信するようにさらに構成される可能性がある。
【００８４】
たとえば、第4の帯域幅のセルラ帯の現在のアップリンク-ダウンリンクサブフレーム構成は、通信プロトコルにおいて定義されたアップリンク-ダウンリンクサブフレーム構成3であり、つまり、第4の帯域幅のセルラ帯の現在のアップリンク-ダウンリンクサブフレームの比は、3:6である。たとえば、第4の帯域幅のセルラ帯は、10MHzの帯域幅を有する周波数帯であり、そのとき、第4の帯域幅のセルラ帯上で、各無線フレームは、10個の無線サブフレームを含み、サブフレーム2、3、および4は、アップリンクサブフレームとして構成され、サブフレーム0、5、6、7、8、および9は、ダウンリンクサブフレームとして構成され、サブフレーム1は、切り替えサブフレームである。そのとき、セルラ基地局21は、上述のアップリンク-ダウンリンクサブフレーム構成3を通信プロトコルにおいて定義されたアップリンク-ダウンリンクサブフレーム構成0に調節する可能性があり、つまり、第4の帯域幅のセルラ帯の調節されたアップリンク-ダウンリンクサブフレームの比は、6:2である。たとえば、第4の帯域幅のセルラ帯は、10MHzの帯域幅を有する周波数帯であり、そのとき、第4の帯域幅のセルラ帯上で、各無線フレームは、10個の無線サブフレームを含み、サブフレーム2、3、4、7、8、および9は、アップリンクサブフレームとして構成され、サブフレーム0および5は、ダウンリンクサブフレームとして構成され、サブフレーム1および6は、切り替えサブフレームである。
【００８５】
特に、上述の通信プロトコルは、LTE-Advancedプロトコルである可能性がある。
【００８６】
上述の技術的な解決策において、ユーザ機器は、セルラ帯を用いることによってセルラ基地局またはミリ波基地局によって送信された制御プレーンデータ情報をセルラ帯トランシーバを用いることによって受信し、セルラ帯トランシーバを用いることによって、セルラ帯を用いることによってセルラ基地局またはミリ波基地局にアップリンクデータを送信し、それから、ミリ波帯を用いることによってミリ波基地局によって送信されたユーザプレーンデータ情報をミリ波帯受信機によって受信する。したがって、ユーザ機器が1つのセルラ帯トランシーバおよび1つのミリ波帯トランシーバを含む必要がある従来技術と比較して、ユーザ機器は、セルラ帯およびミリ波帯での通信を完了するために1つのセルラ帯トランシーバおよび1つのミリ波帯受信機のみを含む必要があり、本発明のこの実施形態においては、ユーザ機器のコストが削減されうる。
【００８７】
図8は、本発明の実施形態によるミリ波基地局の概略的な構造図である。図8に示されるように、ミリ波基地局は、メモリ81、コントローラ82、およびミリ波帯送信機83を含み、
メモリ81は、コントローラ82に接続され、コントローラ82は、ミリ波帯送信機83にさらに接続され、
メモリ81は、プログラムコードのグループを記憶するように構成され、コントローラ82は、以下の動作、すなわち、
ミリ波帯送信機83によって、ミリ波帯を用いることによってユーザ機器にユーザプレーンデータ情報を送信する動作を実行するようにミリ波帯送信機83を制御するためにメモリ83に記憶されたプログラムを呼び出すように構成される。
【００８８】
この実施形態においては、ユーザ機器のダウンリンク制御プレーンデータ情報が、セルラ基地局によってセルラ帯を用いることによってユーザ機器に送信される可能性があり、ユーザ機器のアップリンクデータ(たとえば、アップリンク制御プレーンデータ情報およびアップリンクユーザプレーンデータ情報)が、セルラ帯を用いることによってセルラ基地局に送信される可能性がある。したがって、セルラ帯およびミリ波帯でのユーザ機器の通信が、完了される。
【００８９】
上述の技術的な解決策においては、ミリ波帯上で、ユーザ機器がミリ波帯送信機によって送信されたユーザプレーンデータ情報のみを受信する必要がある、つまり、ユーザ機器がミリ波帯での通信を完了するために1つのミリ波帯受信機のみを必要とするので、ユーザ機器のコストが削減されうる。
【００９０】
図9は、本発明の実施形態によるミリ波基地局の概略的な構造図である。図9に示されるように、ミリ波基地局は、メモリ91、コントローラ92、セルラ帯トランシーバ93、およびミリ波帯送信機94を含み、
メモリ91は、コントローラ92に接続され、コントローラ92は、セルラ帯トランシーバ93およびミリ波帯送信機94に別々にさらに接続され、
メモリ91は、プログラムコードのグループを記憶するように構成され、コントローラ92は、以下の動作、すなわち、
セルラ帯トランシーバ93によって、セルラ帯を用いることによってユーザ機器に制御プレーンデータ情報を送信する動作、および/またはセルラ帯トランシーバ93によって、セルラ帯を用いることによってユーザ機器によって送信されたアップリンクデータを受信する動作と、
ミリ波帯送信機94によって、ミリ波帯を用いることによってユーザ機器にユーザプレーンデータ情報を送信する動作とを実行するようにセルラ帯トランシーバ93およびミリ波帯送信機94を制御するためにメモリ93に記憶されたプログラムを呼び出すように構成される。
【００９１】
セルラ帯トランシーバ93がセルラ帯を用いることによってのみユーザ機器に制御プレーンデータ情報を送信するとき、ユーザ機器によって送信されるアップリンクデータは、セルラ基地局に送信される可能性があり、セルラ帯トランシーバ93がセルラ帯を用いることによってユーザ機器によって送信されたアップリンクデータのみを受信するとき、セルラ基地局は、セルラ帯を用いることによってユーザ機器に制御プレーンデータ情報を送信する可能性がある。確かに、ミリ波基地局は、セルラ基地局とのデータのやりとり、たとえば、上述のユーザプレーンデータ情報のやりとりをさらに実行する可能性がある。
【００９２】
任意選択の実装方法として、コントローラ92は、第1の帯域幅のミリ波帯をユーザ機器に割り当てるようにさらに構成される可能性があり、
セルラ帯トランシーバ93は、ユーザ機器に第1の帯域幅のミリ波帯の第1の識別情報を送信するようにさらに構成される可能性があり、
ミリ波帯送信機94は、第1の識別情報に従って、第1の帯域幅のミリ波帯を用いることによってユーザ機器にユーザプレーンデータ情報を送信するようにさらに構成される可能性がある。
【００９３】
詳細には、ユーザ機器がセルラ帯を用いることによってセルラ基地局への接続を確立した後、セルラ基地局が、ユーザ機器にミリ波帯の帯域幅を割り当てる指示情報を上述のミリ波基地局に送信し、指示情報を受信した後、コントローラ92が、ミリ波帯を測定し、コントローラ92は、それから、測定結果に応じてユーザ機器に上述の第1の帯域幅(たとえば、200MHz)のミリ波帯を割り当てる。
【００９４】
詳細には、上述の第1の帯域幅の帯域は、ユーザ機器のダウンリンクデータ送信のために排他的に使用されうる。詳細には、上述の第1の識別情報は、第1の帯域幅のミリ波帯に対応するID番号である可能性がある。
【００９５】
任意選択の実装方法として、ユーザ機器は、FDD方式にセルラ帯上でセルラ基地局と通信し、
セルラ帯トランシーバ93は、第2の帯域幅のセルラ帯を用いることによってユーザ機器に制御プレーンデータ情報を送信するようにさらに構成される可能性があり、および/または
セルラ帯トランシーバ93は、第3の帯域幅のセルラ帯を用いることによってユーザ機器によって送信されたアップリンクデータを受信するようにさらに構成される可能性があり、
コントローラ92は、第1の帯域幅のミリ波帯の帯域幅に応じて、ユーザ機器のために、第3の帯域幅のセルラ帯のアップリンクキャリアのためのキャリアの特定の帯域幅または特定の量を増やすようにさらに構成される可能性があり、
セルラ帯トランシーバ93は、そのアップリンクキャリアが増やされる第3の帯域幅のセルラ帯の第2の識別情報をユーザ機器に送信するようにさらに構成される可能性があり、
セルラ帯トランシーバ93は、第2の識別情報に従って、そのアップリンクキャリアが増やされる第3の帯域幅のセルラ帯を用いることによってユーザ機器によって送信されたアップリンクデータを受信するようにさらに構成される可能性がある。
【００９６】
たとえば、上述の第3の帯域幅のセルラ帯は、予めシステムによってユーザ機器に割り当てられた帯域幅(たとえば、10MHzセルラ帯)であり、コントローラ92は、ユーザ機器に上述の第1の帯域幅のミリ波帯を割り当てるとき、第1の帯域幅のミリ波帯に応じてユーザ機器へのアップリンクの負荷を獲得し、それから、第3の帯域幅のセルラ帯がユーザ機器へのアップリンクの負荷を担うことができるかどうかを判定し、第3の帯域幅のセルラ帯がユーザ機器へのアップリンクの負荷を担うことができないと判定されるとき、コントローラ92は、第1の帯域幅のミリ波帯の帯域幅に応じて、ユーザ機器のために、第3の帯域幅のセルラ帯のアップリンクキャリアを増やす可能性がある。
【００９７】
詳細には、第3の帯域幅のセルラ帯のアップリンクキャリアを増やすことは、第3の帯域幅のセルラ帯の帯域幅を増やすことか、または第3の帯域幅のセルラ帯のアップリンクキャリアの量を増やすことである可能性がある。たとえば、第3の帯域幅のセルラ帯は、10MHzの帯域幅を有する周波数帯であり、コントローラ92は、第3の帯域幅のセルラ帯を30MHzの帯域幅を有する周波数帯に調節するかまたは複数の10MHzセルラ帯を上述の第3の帯域幅のセルラ帯として使用する可能性がある。
【００９８】
詳細には、上述の第2の識別情報は、そのアップリンクキャリアが増やされる第3の帯域幅のセルラ帯のID番号である可能性がある。セルラ帯トランシーバ93は、ユーザ機器に上述の第2の識別情報を送信し、詳細には、RRCシグナリングを用いることによってユーザ機器に上述の第2の識別情報を送信する可能性がある。つまり、ユーザ機器のために第3の帯域幅のセルラ帯のアップリンクキャリアを増やすことは、RRCシグナリングを用いることによって実装される。
【００９９】
図10は、本発明の実施形態による通信方法の概略的な流れ図である。図10に示されるように、方法は、以下のステップを含む。
【０１００】
1001.  セルラ帯を用いることによってセルラ基地局またはミリ波基地局によって送信された制御プレーンデータ情報を受信し、制御プレーンデータ情報は、ミリ波帯の第1の識別情報を含む。
【０１０１】
1002.  セルラ帯を用いることによってセルラ基地局またはミリ波基地局にアップリンクデータを送信し、アップリンクデータは、第1の識別情報によって特定されたミリ波帯のチャネル状態情報を含む。
【０１０２】
任意選択で、上述のアップリンクデータを受信するとき、セルラ基地局は、アップリンクデータに含まれるチャネル状態情報をミリ波基地局に送信する可能性があり、その結果、ミリ波基地局は、ミリ波帯を用いることによってユーザ機器にユーザプレーンデータ情報を送信する。上述のアップリンクデータを受信するとき、ミリ波基地局は、チャネル状態情報に従って、ミリ波帯を用いることによってユーザ機器にユーザプレーンデータ情報を送信する可能性がある。
【０１０３】
1003.  ミリ波帯を用いることによってミリ波基地局によって送信されたユーザプレーンデータ情報を受信する。
【０１０４】
任意選択の実装方法として、ミリ波帯は、第1の帯域幅のミリ波帯を含む可能性があり、第1の帯域幅のミリ波帯は、セルラ基地局またはミリ波基地局によって割り当てられるミリ波帯である。
【０１０５】
上述の技術的な解決策においては、セルラ帯を用いることによってセルラ基地局またはミリ波基地局によって送信された制御プレーンデータ情報が受信され、アップリンクデータがセルラ帯を用いることによってセルラ基地局またはミリ波基地局に送信され、ミリ波帯を用いることによってミリ波基地局によって送信されたユーザプレーンデータ情報が受信される。したがって、ユーザ機器が1つのセルラ帯トランシーバおよび1つのミリ波帯トランシーバを含む必要がある従来技術と比較して、ユーザ機器は、セルラ帯およびミリ波帯での通信を完了するために1つのセルラ帯トランシーバおよび1つのミリ波帯受信機のみを含む必要があり、この実施形態においては、ユーザ機器のコストが削減されうる。
【０１０６】
図11は、本発明の実施形態による別の通信方法の概略的な流れ図である。図11に示されるように、方法は、以下のステップを含む。
【０１０７】
1101.  第2の帯域幅のセルラ帯を用いることによってセルラ基地局またはミリ波基地局によって送信された制御プレーンデータ情報を受信する。
【０１０８】
1102.  セルラ基地局またはミリ波基地局によって送信され、そのアップリンクキャリアが増やされる第3の帯域幅のセルラ帯のものである第2の識別情報を受信し、そのアップリンクキャリアが増やされる第3の帯域幅のセルラ帯は、キャリアの特定の帯域幅または特定の量が増やされる第3の帯域幅のセルラ帯であり、第3の帯域幅のセルラ帯に関して増やされるキャリアの特定の帯域幅または特定の量は、第1の帯域幅のミリ波帯に応じてセルラ基地局またはミリ波基地局によって増やされる。
【０１０９】
1103.  第2の識別情報に従って、そのアップリンクキャリアが増やされる第3の帯域幅のセルラ帯を用いることによってセルラ基地局またはミリ波基地局にアップリンクデータを送信する。
【０１１０】
1104.  ミリ波帯を用いることによってミリ波基地局によって送信されたユーザプレーンデータ情報を受信する。
【０１１１】
上述の技術的な解決策においては、上述の実施形態に基づいて、ユーザ機器のコストを削減することに加えて、通信が、FDD方式にセルラ帯上でさらに実装される可能性があり、セルラ基地局またはミリ波基地局にアップリンクデータを送信するために使用されるアップリンクキャリアが、セルラ基地局またはミリ波基地局によって調節される可能性がある。
【０１１２】
図12は、本発明の実施形態による別の通信方法の概略的な流れ図である。図12に示されるように、方法は、以下のステップを含む。
【０１１３】
1201.  第4の帯域幅のセルラ帯の目標のアップリンク-ダウンリンクサブフレーム構成についての、セルラ基地局によって送信される情報を受信し、第4の帯域幅のセルラ帯の目標のアップリンク-ダウンリンクサブフレーム構成は、第1の帯域幅のミリ波帯の帯域幅に応じてセルラ基地局によって調節されたアップリンク-ダウンリンクサブフレーム構成である。
【０１１４】
1202.  目標のアップリンク-ダウンリンクサブフレーム構成についての情報に従って、目標のアップリンク-ダウンリンクサブフレーム構成によって第4の帯域幅のセルラ帯を用いることによってセルラ基地局またはミリ波基地局によって送信された制御プレーンデータ情報を受信する。
【０１１５】
1203.  目標のアップリンク-ダウンリンクサブフレーム構成についての情報に従って、目標のアップリンク-ダウンリンクサブフレーム構成によって第4の帯域幅のセルラ帯を用いることによってセルラ基地局またはミリ波基地局にアップリンクデータを送信する。
【０１１６】
1204.  第1の帯域幅のミリ波帯を用いることによってミリ波基地局によって送信されたユーザプレーンデータ情報を受信する。
【０１１７】
上述の技術的な解決策においては、上述の実施形態に基づいて、ユーザ機器のコストを削減することに加えて、通信が、TDD方式にセルラ帯上でさらに実装される可能性があり、セルラ基地局またはミリ波基地局によるセルラ帯での通信のために使用される周波数帯のアップリンク-ダウンリンクサブフレーム構成が、ミリ波帯の帯域幅に応じてセルラ基地局によって調節される可能性がある。
【０１１８】
当業者は、実施形態の方法のプロセスのすべてまたは一部が、関連するハードウェアに命令するコンピュータプログラムによって実装されうることを理解するであろう。プログラムは、コンピュータ可読ストレージ媒体に記憶されうる。プログラムが実行されるとき、実施形態の方法のプロセスが実行される。上述のストレージ媒体は、磁気ディスク、光ディスク、読み出し専用メモリ(Read-Only Memory、ROM)、ランダムアクセスメモリ(Random Access Memory、RAM)などを含む可能性がある。
【０１１９】
上で開示されているのは、本発明の実施形態に過ぎず、本発明の保護範囲を限定するようにまったく意図されていない。したがって、本発明の請求項に従ってなされる等価な変更は、本発明の範囲内に入る。
【符号の説明】
【０１２０】
11  セルラ基地局
12  ミリ波基地局
13  ユーザ機器
111  第1のセルラ帯トランシーバ
121  第2のセルラ帯トランシーバ
122  ミリ波帯送信機
131  第3のセルラ帯トランシーバ
132  ミリ波帯受信機
21  セルラ基地局
22  ミリ波基地局
23  ユーザ機器
211  第1のセルラ帯トランシーバ
212  メモリ
213  コントローラ
221  第2のセルラ帯トランシーバ
222  ミリ波帯送信機
223  メモリ
224  コントローラ
231  第3のセルラ帯トランシーバ
232  ミリ波帯受信機
301  ダウンリンクキャリア
302  アップリンクキャリア
303  ダウンリンクキャリア
304  アップリンクキャリア
305  アップリンクキャリア
401  セルラ帯
402  ミリ波帯
501  セルラ帯
502  ミリ波帯
601  セルラ帯
602  ミリ波帯
71  メモリ
72  コントローラ
73  セルラ帯トランシーバ
74  ミリ波帯受信機
81  メモリ
82  コントローラ
83  ミリ波帯送信機
91  メモリ
92  コントローラ
93  セルラ帯トランシーバ
94  ミリ波帯送信機
【図１】
0006295476.tif 000002
【図２】
0006295476.tif 000003
【図３】
0006295476.tif 000004
【図４】
0006295476.tif 000005
【図５】
0006295476.tif 000006
【図６】
0006295476.tif 000007
【図７】
0006295476.tif 000008
【図８】
0006295476.tif 000009
【図９】
0006295476.tif 000010
【図１０】
0006295476.tif 000011
【図１１】
0006295476.tif 000012
【図１２】
0006295476.tif 000013